(57)【要約】【課題】互いに隣接して配置された複数のプレキャストコンクリート板と、互いに隣接する２つのプレキャストコンクリート板の間に配置された遮音板とを有する床スラブにおいて、該床スラブが荷重を受けたときに全てのプレキャストコンクリート板が前記荷重に抵抗できるようにし、前記床スラブの強度を向上させること。【解決手段】床スラブは、第１方向に互いに隣接して配置された少なくとも３つのプレキャストコンクリート板と、該プレキャストコンクリート板の上に形成されたコンクリート層と、互いに隣接する２つのプレキャストコンクリート板の間及び前記コンクリート層の内部に前記第１方向と直交する第２方向に間隔を置いて配置された、それぞれが前記第１方向に垂直である複数の遮音板とを含む。【選択図】図２
2009287363.tif 000002
【特許請求の範囲】
【請求項１】
第１方向に互いに側部が隣接して配置された、それぞれが長方形の平面形状を有する少なくとも３つのプレキャストコンクリート板と、
該プレキャストコンクリート板の上に形成されたコンクリート層と、
互いに隣接する２つのプレキャストコンクリート板の間及び前記コンクリート層の内部に前記第１方向と直交する第２方向に間隔を置いて配置された、それぞれが前記第１方向に垂直である複数の遮音板とを含む、床スラブ。
【請求項２】
前記コンクリート層の内部における互いに隣接する２つの遮音板の間に、それぞれが前記隣接する２つのプレキャストコンクリート板のうち一方のプレキャストコンクリート板の上方から他方のプレキャストコンクリート板の上方へ前記第１方向に伸びる複数の鉄筋が配置されている、請求項１に記載の床スラブ。
【請求項３】
前記プレキャストコンクリート板は、第１プレキャストコンクリート板と、該第１プレキャストコンクリート板にその一方の側で隣接する第２プレキャストコンクリート板と、前記第１プレキャストコンクリート板にその他方の側で隣接する第３プレキャストコンクリート板とを含み、
前記第１プレキャストコンクリート板と前記第２プレキャストコンクリート板との間における前記遮音板が存在する領域及び前記遮音板が存在しない領域は、それぞれ、前記第１プレキャストコンクリート板と前記第３プレキャストコンクリート板との間における前記遮音板が存在しない領域及び前記遮音板が存在する領域から前記第１方向に隔てられている、請求項１に記載の床スラブ。
【請求項４】
前記遮音板は、石膏、ロックウール又は気泡コンクリートからなる、請求項１に記載の床スラブ。
【請求項５】
第１方向に互いに側部が隣接する、それぞれが長方形の平面形状を有する少なくとも３つのプレキャストコンクリート板と、互いに隣接する２つのプレキャストコンクリート板の間にあって前記第１方向と直交する第２方向に間隔を置かれた複数の遮音板であってそれぞれが前記第１方向に垂直であり、前記プレキャストコンクリート板から上方へ突出する複数の遮音板とを用意すること、
前記プレキャストコンクリート板の上にコンクリートを打設して、前記遮音板の前記プレキャストコンクリート板からの突出寸法に相当する厚さ寸法を有するコンクリート層を形成することを含む、床スラブの施工法。
【発明の詳細な説明】
【技術分野】
【０００１】
本発明は、遮音板を有する床スラブに関する。
【背景技術】
【０００２】
従来、床スラブには、互いに隣接して配置された複数のプレキャストコンクリート板と、互いに隣接する２つのプレキャストコンクリート板の間に配置された遮音板とを含むものがある（特許文献１参照）。
【特許文献１】特開平９−２７９７４４号公報
【０００３】
前記隣接する２つのプレキャストコンクリート板のうちの一方のプレキャストコンクリート板の上で子供が飛び跳ねたり、走り回ったりすることにより、前記一方のプレキャストコンクリート板に衝撃が加えられ、床衝撃音が発生することがある。このとき、前記衝撃により前記一方のプレキャストコンクリート板に振動が生じる。前記遮音板は、前記振動が前記他方のプレキャストコンクリート板に伝わるのを妨げる。これにより、前記床衝撃音が前記床スラブを経て伝搬するのを防止することができる。
【発明の開示】
【発明が解決しようとする課題】
【０００４】
前記遮音板は前記隣接する２つのプレキャストコンクリート板の間の領域の全部に存在する。前記隣接する２つのプレキャストコンクリート板は、前記遮音板により隔てられており、一体化されていない。このため、前記床スラブが自重、積載荷重等の荷重を受けたとき、１つのプレキャストコンクリート板のみが前記荷重に抵抗し、全てのプレキャストコンクリート板が前記荷重に抵抗することはない。このため、前記床スラブの前記荷重に対する強度が比較的小さい。
【０００５】
本発明の目的は、互いに隣接して配置された複数のプレキャストコンクリート板と、互いに隣接する２つのプレキャストコンクリート板の間に配置された遮音板とを有する床スラブにおいて、該床スラブが荷重を受けたときに全てのプレキャストコンクリート板が前記荷重に抵抗できるようにし、前記床スラブの強度を向上させることである。
【課題を解決するための手段】
【０００６】
本発明は、床スラブが、互いに隣接して配置された少なくとも３つのプレキャストコンクリート板と、該プレキャストコンクリート板の上のコンクリート層と、互いに隣接する２つのプレキャストコンクリート板の間及び前記コンクリート層の内部に間隔を置いて配置された複数の遮音板とを含み、前記コンクリート層により前記プレキャストコンクリート板を結合し、これを一体化させる。これにより、前記床スラブが荷重を受けたときに全てのプレキャストコンクリート板が前記荷重に抵抗できるようにする。
【０００７】
本発明に係る床スラブは、第１方向に互いに側部が隣接して配置された、それぞれが長方形の平面形状を有する少なくとも３つのプレキャストコンクリート板と、該プレキャストコンクリート板の上に形成されたコンクリート層と、互いに隣接する２つのプレキャストコンクリート板の間及び前記コンクリート層の内部に前記第１方向と直交する第２方向に間隔を置いて配置された、それぞれが前記第１方向に垂直である複数の遮音板とを含む。
【０００８】
前記プレキャストコンクリート板の上に形成された前記コンクリート層は、前記プレキャストコンクリート板を結合する。これにより、前記プレキャストコンクリート板を一体化させることができる。このため、前記床スラブが荷重を受けたときに全てのプレキャストコンクリート板が前記荷重に抵抗することができ、前記床スラブの前記荷重に対する強度を比較的大きいものとすることができる。
【０００９】
前記コンクリート層の内部における互いに隣接する２つの遮音板の間に、それぞれが前記隣接する２つのプレキャストコンクリート板のうち一方のプレキャストコンクリート板の上方から他方のプレキャストコンクリート板の上方へ前記第１方向に伸びる複数の鉄筋が配置されている。これにより、前記コンクリート層による前記プレキャストコンクリート板の結合をより強固にすることができる。
【００１０】
前記プレキャストコンクリート板は、第１プレキャストコンクリート板と、該第１プレキャストコンクリート板にその一方の側で隣接する第２プレキャストコンクリート板と、前記第１プレキャストコンクリート板にその他方の側で隣接する第３プレキャストコンクリート板とを含み、前記第１プレキャストコンクリート板と前記第２プレキャストコンクリート板との間における前記遮音板が存在する領域及び前記遮音板が存在しない領域は、それぞれ、前記第１プレキャストコンクリート板と前記第３プレキャストコンクリート板との間における前記遮音板が存在しない領域及び前記遮音板が存在する領域から前記第１方向に隔てられている。
【００１１】
前記遮音板は、石膏、ロックウール又は気泡コンクリートからなる。これらの材料は耐火材であり、前記遮音板が前記床スラブの耐火性を損ねることはない。
【００１２】
本発明に係る床スラブの施工法は、第１方向に互いに側部が隣接する、それぞれが長方形の平面形状を有する少なくとも３つのプレキャストコンクリート板と、互いに隣接する２つのプレキャストコンクリート板の間にあって前記第１方向と直交する第２方向に間隔を置かれた複数の遮音板であってそれぞれが前記第１方向に垂直であり、前記プレキャストコンクリート板から上方へ突出する複数の遮音板とを用意すること、前記プレキャストコンクリート板の上にコンクリートを打設して、前記遮音板の前記プレキャストコンクリート板からの突出寸法に相当する厚さ寸法を有するコンクリート層を形成することを含む。
【発明の効果】
【００１３】
本発明によれば、床スラブが、互いに隣接して配置された少なくとも３つのプレキャストコンクリート板と、該プレキャストコンクリート板の上のコンクリート層と、互いに隣接する２つのプレキャストコンクリート板の間及び前記コンクリート層の内部に間隔を置いて配置された複数の遮音板とを含むことから、前記コンクリート層により前記プレキャストコンクリート板を結合することができ、これを一体化させることができる。このため、前記床スラブが荷重を受けたときに全てのプレキャストコンクリート板が前記荷重に抵抗することができ、前記床スラブの前記荷重に対する強度を比較的大きいものとすることができる。
【発明を実施するための最良の形態】
【００１４】
図１、２に示すように、建物の床スラブ１０が存在する。床スラブ１０は、第１方向（図１における左右方向）に互いに隣接して配置された少なくとも３つのプレキャストコンクリート板１２と、該プレキャストコンクリート板の上に形成されたコンクリート層１４とを有する。各プレキャストコンクリート板１２は長方形の平面形状を有し、隣接する２つのプレキャストコンクリート板は、互いに側部１６が隣接している。
【００１５】
床スラブ１０は、互いに隣接する２つのプレキャストコンクリート板１２の間及びコンクリート層１４の内部に、前記第１方向と直交する第２方向（図１における上下方向）に間隔を置いて配置された複数の遮音板１８を有する。各遮音板１８は、前記第１方向に垂直であり、互いに隣接する２つのプレキャストコンクリート板１２のいずれか一方に、ビス、ねじ等のような留め具２２により固定されている。遮音板１８は、石膏、ロックウール又は気泡コンクリートからなる。これらの材料は耐火材であり、遮音板１８が床スラブ１０の耐火性を損ねることはない。
【００１６】
ところで、床スラブ１０の上で子供が飛び跳ねたり、走り回ったりすることにより、該床スラブに衝撃が加えられ、床衝撃音が発生することがある。このとき、前記衝撃により床スラブ１０に振動が生じる。例えば、互いに隣接する２つのプレキャストコンクリート板１２のうちの一方のプレキャストコンクリート板の上方に位置するコンクリート層部分に衝撃が加えられて床衝撃音が発生したとき、前記衝撃により前記コンクリート層部分及び前記一方のプレキャストコンクリート板に振動が生じる。
【００１７】
遮音板１８は、前記振動が前記他方のプレキャストコンクリート板及びその上方に位置する他のコンクリート層部分に伝わるのを妨げる。このため、前記振動は遮音板１８が存在しない領域を経てしか前記他方のプレキャストコンクリート板及び前記他のコンクリート層部分に伝わらず、これらに伝わる振動は小さい。このため、前記床衝撃音が床スラブ１０を経て伝搬するのを妨げることができる。
【００１８】
床スラブ１０の上の空間は、１つの部屋からなるものでもよいし、互いに隣接する複数の部屋からなるものでもよい。例えば、床スラブ１０の上の空間が前記複数の部屋からなり、前記一方のプレキャストコンクリート板が、互いに隣接する２つの部屋のうちの一方の部屋の下方に位置し、前記他方のプレキャストコンクリート板が他方の部屋に下方に位置していてもよい。この場合、前記一方の部屋において床衝撃音が発生したときに前記コンクリート層部分及び前記一方のプレキャストコンクリート板に生じた振動が前記他のコンクリート層部分及び前記他方のプレキャストコンクリート板に伝わるのを妨げることにより、前記床衝撃音が床スラブ１０を経て前記他方の部屋へ伝搬するのを妨げることができる。
【００１９】
プレキャストコンクリート板１２はコンクリート層１４により結合されている。これにより、プレキャストコンクリート板１２を一体化させることができ、床スラブ１０が自重、積載荷重等の荷重を受けたときに全てのプレキャストコンクリート板１２が一体となって前記荷重に抵抗することができる。このため、床スラブ１０の前記荷重に対する強度を比較的大きいものとすることができる。
【００２０】
コンクリート層１４の内部における互いに隣接する２つの遮音板１８の間に、それぞれが互いに隣接する２つのプレキャストコンクリート板１２のうちの一方のプレキャストコンクリート板の上方から他方のプレキャストコンクリート板の上方へ前記第１方向に伸びる複数の鉄筋２２ａ、２２ｂが配置されている。鉄筋２２ａ、２２ｂは、前記第２方向に間隔を置いて配置された複数の第１鉄筋２２ａと、該第１鉄筋の下方に前記第２方向に間隔を置いて配置された複数の第２鉄筋２２ｂ（図２）とを含む。コンクリート層１４の内部に、それぞれが第１鉄筋２２ａと交差する、前記第１方向に間隔を置かれた複数の第３鉄筋２４（図２）が配置されている。コンクリート層１４は、第１鉄筋２２ａ、第２鉄筋２２ｂ及び第３鉄筋２４により補強されている。
【００２１】
第１鉄筋２２ａ及び第２鉄筋２２ｂは、前記一方のプレキャストコンクリート板の上方に位置するコンクリート層部分と、前記他方のプレキャストコンクリート板の上方に位置する他のコンクリート層部分との境界部分を補強する。これにより、コンクリート層１４によるプレキャストコンクリート板１２の結合をより強固なものとすることができる。
【００２２】
図２に示したように、各プレキャストコンクリート板１２の内部に格子状の第４鉄筋２６が配置されており、プレキャストコンクリート板１２に複数の補強手段２８が前記第１方向に間隔を置いて設けられている。各補強手段２８は、プレキャストコンクリート板１２の上方に配置された、前記第２方向に伸びる第５鉄筋３０と、該第５鉄筋と第４鉄筋２６との間にあってこれらに接合されたラチス鉄筋３２とからなる。コンクリート層１４の内部に配置された第１鉄筋２２ａは、第５鉄筋３０の上にあって該第５鉄筋に接合されている。
【００２３】
第１鉄筋２２ａと第２鉄筋２２ｂとの間に、発泡スチロール、プラスチック、木材等のような、コンクリートより比重が小さい材料からなるブロック３４が配置されている。ブロック３４は、床スラブ１０の重量を軽減し、該床スラブのコンクリート使用量を低減する。
【００２４】
ブロック３４の上面３６及び下面３８の形状は、該ブロックの正面から見て、波形の一部分である。このように上面３６及び下面３８は、平坦でないものとするのが好ましい。この場合、ブロック３４の上面３６及び下面３８はコンクリート層１４に生じた振動を乱反射させる。このため、前記振動がブロック３４の上面３６と床スラブ１０の上面との間で反射を繰り返したり、ブロック３４の下面３８とプレキャストコンクリート板１２の上面との間で反射を繰り返したりすることがない。これにより、前記振動によりブロック３４の上面３６と床スラブ１０の前記上面と間のコンクリートが共振したり、ブロック３４の下面３８とプレキャストコンクリート板１２の前記上面との間のコンクリートが共振したりするのを防止することができ、コンクリート層１４を経て伝搬する床衝撃音が増大するのを防止することができる。ブロック３４の上面３６及び下面３８の形状は、波形の一部分である図１に示した例に代え、円弧状でもよい。また、ブロック３４の上面３６及び下面３８は、平坦でない上記の例に代え、平坦であってもよい。
【００２５】
床スラブ１０の厚さ寸法、すなわちプレキャストコンクリート板１２の厚さ寸法とコンクリート層１４の厚さ寸法との合計は、一般に、約２５０ｍｍないし約４００ｍｍである。遮音板１８の前記第２方向における長さ寸法４０及び互いに隣接する２つの遮音板１８の間の間隔４２のそれぞれは、例えば、約０．５ｍないし約２．５ｍである。床スラブ１０の厚さ寸法、遮音板１８の長さ寸法４０及び隣接する２つの遮音板１８の間の間隔４２は、床スラブ１０に必要な強度や遮音性能に応じて任意に変更することができる。
【００２６】
図１に示したように、プレキャストコンクリート板１２は、第１プレキャストコンクリート板１２ａと、該第１プレキャストコンクリート板にその一方の側で隣接する第２プレキャストコンクリート板１２ｂと、第１プレキャストコンクリート板１２ａにその他方の側で隣接する第３プレキャストコンクリート板１２ｃとを含み、第１プレキャストコンクリート板１２ａと第３プレキャストコンクリート板１２ｃとの間における遮音板１８が存在する領域は、第１プレキャストコンクリート板１２ａと第２プレキャストコンクリート板１２ｂとの間における遮音板１８が存在しない領域から前記第１方向に隔てられている。また、第１プレキャストコンクリート板１２ａと第３プレキャストコンクリート板１２ｃとの間における遮音板１８が存在しない領域は、第１プレキャストコンクリート板１２ａと第２プレキャストコンクリート板１２ｂとの間における遮音板１８が存在する領域から前記第１方向に隔てられている。このように遮音板１８は千鳥状に配置されている。
【００２７】
第２プレキャストコンクリート板１２ｂの上方に位置する第２コンクリート層部分に衝撃が加えられて床衝撃音が発生したとき、該第２コンクリート層部分及び第２プレキャストコンクリート板１２ｂに振動が生じる。第２プレキャストコンクリート板１２ｂと第１プレキャストコンクリート板１２ａとの間に配置された遮音板１８は、前記振動が第１プレキャストコンクリート板１２ａ及びその上方に位置する第１コンクリート層部分に伝わるのを妨げる。このため、前記振動は遮音板１８が存在しない領域を経て第１プレキャストコンクリート板１２ａ及び前記第１コンクリート層部分に伝わる。第１プレキャストコンクリート板１２ａと第３プレキャストコンクリート板１２ｃとの間に配置された遮音板１８は、第１プレキャストコンクリート板１２ａ及び前記第１コンクリート層部分に伝わった振動が第３プレキャストコンクリート板１２ｃ及びその上方に位置する第３コンクリート層部分に伝わるのを妨げる。
【００２８】
第１プレキャストコンクリート板１２ａと第３プレキャストコンクリート板１２ｃとの間における遮音板１８が存在する領域が第１プレキャストコンクリート板１２ａと第２プレキャストコンクリート板１２ｂとの間における遮音板１８が存在しない領域から前記第１方向に隔てられているため、第１プレキャストコンクリート板１２ａと第３プレキャストコンクリート板１２ｃとの間に配置された遮音板１８は、第１プレキャストコンクリート板１２ａ及び前記第１コンクリート層部分に伝わった振動が第３プレキャストコンクリート板１２ｃ及び前記第３コンクリート層部分に伝わるのを効果的に妨げることができる。このため、第３プレキャストコンクリート板１２ｃ及び前記第３コンクリート層部分に伝わる振動を効果的に低減することができ、床スラブ１０を経て伝搬する床衝撃音をより小さくすることができる。
【００２９】
第１プレキャストコンクリート板１２ａと第２プレキャストコンクリート板１２ｂとの間に配置された遮音板１８の数と、第１プレキャストコンクリート板１２ａと第３プレキャストコンクリート板１２ｃとの間に配置された遮音板１８の数とは、図１に示した例では、ほぼ等しいが、これに代え、異なっていてもよい。例えば、互いに隣接する２つの部屋の境界部分が、第１プレキャストコンクリート板１２ａと第３プレキャストコンクリート板１２ｃとの間に配置された遮音板１８の上方に位置する場合、第１プレキャストコンクリート板１２ａと第３プレキャストコンクリート板１２ｃとの間に配置された遮音板１８の数を、第１プレキャストコンクリート板１２ａと第２プレキャストコンクリート板１２ｂとの間に配置された遮音板１８の数より多くしてもよい。これにより、第１プレキャストコンクリート板１２ａと第３プレキャストコンクリート板１２ｃとの間に配置された遮音板１８により、第１プレキャストコンクリート板１２ａ及び前記第１コンクリート層部分に伝わった振動が第３プレキャストコンクリート板１２ｃ及び前記第３コンクリート層部分に伝わるのをより効果的に妨げることができ、前記隣接する２つの部屋のうちの一方の部屋で発生した床衝撃音が他方の部屋へ伝搬するのをより効果的に妨げることができる。
【００３０】
床スラブ１０を施工するとき、まず、図３に示すように、前記第１方向に互いに側部１６が隣接する、それぞれが長方形の平面形状を有する少なくとも３つのプレキャストコンクリート板１２と、互いに隣接する２つのプレキャストコンクリート板１２の間にあって前記第２方向に間隔を置かれた複数の遮音板１８とを用意する。このとき、プレキャストコンクリート板１２を隣接して配置し、その後、互いに隣接する２つのプレキャストコンクリート板１２の間に遮音板１８を配置してもよいし、互いに隣接する２つのプレキャストコンクリート板１２のいずれか一方に遮音板１８を予め固定しておき、その後、プレキャストコンクリート板１２を隣接して配置してもよい。各遮音板１８は、前記第１方向に垂直であり、プレキャストコンクリート板１２から上方へ突出している。
【００３１】
互いに隣接する少なくとも３つのプレキャストコンクリート板１２及び互いに隣接する２つのプレキャストコンクリート板１２の間にある遮音板１８を用意した後、プレキャストコンクリート板１２の上にコンクリートを打設してコンクリート層１４を形成する。コンクリート層１４は、遮音板１８のプレキャストコンクリート板１２からの突出寸法に相当する厚さ寸法を有する。
【図面の簡単な説明】
【００３２】
【図１】本発明に係る床スラブの平面図。
【図２】図１の線２における床スラブの断面図。
【図３】コンクリート層を形成する前におけるプレキャストコンクリート板の平面図。
【符号の説明】
【００３３】
１０    床スラブ
１２    プレキャストコンクリート板
１４    コンクリート層
１６    側部
１８    遮音板
２２ａ、２２ｂ    鉄筋
【図１】
2009287363.tif 000003
【図２】
2009287363.tif 000004
【図３】
2009287363.tif 000005